(57)【要約】【課題】ハードディスクドライブ活栓抜去後のシリンダ回転が停止するまでのに要する期間、ハードディスクドライブの交換禁止をユーザに指示できる表示を提供することにより、ハードディスクドライブの破損を防ぐことができるシステムを提供する。【解決手段】ハードディスク活栓抜去直後を検出する手段と、ディスク内のシリンダが停止するまでに要する期間を、ＬＥＤにて表示する手段を備える。【選択図】  図１
2004206746.tif 000002
【特許請求の範囲】
【請求項１】
ｎ台（ｎは任意の自然数）の活栓挿抜対応のハードディスクドライブ（以下ＨＤＤ）と、前記ｎ台のＨＤＤを接続するプラッタ基板と、前記プラッタ基板と前記ｎ台のＨＤＤ間の接続を検出する手段と、前記ｎ台の各ＨＤＤの抜去指示を行う為の表示手段を有するハードディスク装置において、
前記n台のＨＤＤの任意のＨＤＤが抜去された事を検知すると、該ＨＤＤに対応した表示手段に対し、該ＨＤＤのシリンダの回転が停止するまでに要する時間ｔの期間ＨＤＤの交換作業を禁止する表示を実施する手段を有することを特徴とした磁気ディスク装置。
【請求項２】
請求項１記載のハードディスク装置において、各ＨＤＤの抜栓後ＨＤＤの交換作業を禁止する期間を、各ＨＤＤ毎に入力設定する手段を有することを特徴としたディスク装置。
【発明の詳細な説明】
【０００１】
【発明の属する技術分野】
本発明は、ハードディスク活栓抜去以後のハードディスクドライブ破損を防止する為、抜去以後のＨＤＤ交換作業を時間的に制限する機能を有する磁気ディスク装置に関する。
【０００２】
【従来の技術】
サーバなどの高信頼性が要求される情報処理システムのディスク装置に
おいては、活栓挿抜対応のハードディスクドライブが多く使用されている。
これらのシステムにおいて、ハードディスクドライブを活栓抜去する際は、
ハードディスクの状態を、ドライブ本体又はシステム側のＬＥＤインジゲータにより確認し、ハードディスクドライブの取外しを実施することが一般的である。
【０００３】
例えばＣｏｍｐａｑ（登録商標）社のＰＣサーバであるProLiant（登録商標）DL760サーバのユーザズマニュアル（製品番号  １７３７７４−１９１）（非特許文献１）によれば、各ドライブの稼動時、抜去可能時、障害発生時など、各条件に対応したＬＥＤ表示が実施され、ユーザ又は保守員はその表示を確認しながら活栓挿抜する形態をなっている。
【０００４】
前記システムにおいては、抜去可能というＬＥＤ表示に従ってハードディスクドライブを活栓抜去する場合、抜去直前まではハードディスクドライブへの給電が為されている為、活栓抜去直後数十秒間は、ハードディスクドライブ内のシリンダは回転を継続している。従って、ハードディスクドライブ活栓抜去直後のシリンダ回転が停止するまでの時間内に、ハードディスクを移動したり、キャニスタから取外したりといった交換作業に伴う衝撃が加わるとハードディスクを破損する恐れがある。
【０００５】
【非特許文献１】「Ｃｏｍｐａｑ（登録商標）社のＰＣサーバ：
ProLiant（登録商標） DL760サーバのユーザズマニュアル（製品番号  １７３７７４−１９１）」
【０００６】
【発明が解決しようとする課題】
本発明の目的は、ハードディスクドライブ活栓抜去直後のシリンダ回転が停止するまでの期間、ハードディスクドライブの交換を禁止する表示を提供することにより、ハードディスクドライブを破損することなく、保守交換可能とする磁気ディスク装置を提供する事にある。
【０００７】
【課題を解決するための手段】
上記目的を達成するために、本発明では活栓挿抜対応のＨＤＤと、ｎ台のＨＤＤを接続するプラッタ基板と、前記プラッタ基板と前記ｎ台のＨＤＤ間の接続を検出する手段と、前記ｎ台の各ＨＤＤの抜去指示を行う為の表示手段を有する磁気ディスク装置において、前記n台のＨＤＤの任意のＨＤＤが抜去された事を検知すると、該ＨＤＤに対応した表示手段に対し、該ＨＤＤのシリンダの回転が停止するまでに要する時間ｔの期間ＨＤＤの交換作業を禁止する表示を実施する手段を有するようにした。
【０００８】
【発明の実施の形態】
まず、本発明の実施の形態の概要を述べる。
【０００９】
本発明の磁気ディスク装置は、活栓挿抜対応のハードディスクドライブ（ＨＤＤ）と、ドライブの挿抜を実施するキャニスタ、ディスクと接続されるボードと、このボードより接続されるＬＥＤ表示部とを有する。
【００１０】
この装置は、ハードディスク活栓抜去を検出する手段と、ディスク抜去後ディスク内のシリンダが停止するまでの期間ＨＤＤの交換作業を禁止することをＬＥＤにて表示する手段を備えている。
【００１１】
これらの手段により、活栓抜去直後、ディスクシリンダが完全に停止するまでの時間、ハードディスクドライブの交換禁止をユーザに指示できることを可能とし、磁気ディスク装置の破損を防ぐことを可能とする。
【００１２】
以下、本発明の実施例を図面を参照して詳細に説明する。
【００１３】
図２は、本発明の第一の実施例ハードウエア構成を示す図である。２０１は活栓挿抜対応ハードディスクドライブ（ＨＤＤ）を接続するプラッタ基板、ａ１、ａ２、ａｎはｎ台（ｎは任意の自然数）のＨＤＤ（これらのＨＤＤはキャニスタ(図示せず)に収納されている）、ｃ１、ｃ２、ｃｎは前記ａ１、ａ２、ａｎをプラッタ基板２０１に接続するコネクタ、ｂ１、ｂ２、ｂｎはＨＤＤａ１、ＨＤＤａ２、ＨＤＤａｎをそれぞれｃ１、ｃ２、ｃｎに接続するＨＤＤ側のコネクタである。
【００１４】
ｓ１はＨＤＤａ１とプラッタ基板２０１が接続されているか否かを検出する信号であり、ｓ２、ｓｎは、ＨＤＤａ２、ＨＤＤａｎが、各々、プラッタ基板２０１と接続されているか否かを検出する信号である。２０３は、ＨＤＤａ１、ＨＤＤａ２、ＨＤＤａｎとＬＥＤ制御マイコン２０２間を接続するインタフェース信号であり、これはコネクタ２０５を介してプラッタ基板２０１外部のディスクコントローラに接続される。
【００１５】
２０４は、インタフェース信号２０３の終端回路である。また、ＬＥＤ１、ＬＥＤ２、ＬＥＤｎは、ＨＤＤａ１，ＨＤＤａ２，ＨＤＤａｎの活栓抜去作業を指示し、かつＨＤＤの交換作業禁止を指示するＬＥＤである。ＨＤＤａ１の活栓抜去作業指示及びＨＤＤの交換作業禁止を指示を行うＬＥＤ１は、ケーブルｃｂ１、コネクタｄ１を介して、プラッタ基板２０１に接続され、抜栓実施後はＨＤＤａ１のシリンダが回転を停止するまで該ＨＤＤの交換を禁止する表示を行う。本実施例では活栓抜栓作業指示は緑色点灯、交換作業禁止指示は橙色点灯で表示するようにした。このＬＥＤ１は装置外部のユーザの見やすい場所の２０６のＬＥＤパネルに、実装される。ｋ１は、ＬＥＤ制御マイコン２０２がＬＥＤ１を制御する信号である。ｃｂ２、ｄ２、ｋ２はＬＥＤ２に対応した、前記ｃｂ１、ｄ１、ｋ１に相当するものである。ｃｂｎ、ｄｎ、ｋｎも同様に、ＬＥＤｎに対応したものである。なお、従来装置には上記のＨＤＤの交換を禁止する表示を行う手段を備えていない。また、ＬＥＤ制御マイコン２０２は各ＨＤＤの交換作業禁止期間の入力設定手段を有している。
【００１６】
図１は、図２の実施例におけるＬＥＤ１の点灯を制御するマイコン２０２の処理フローを示す図である。図１において、制御マイコン２０１はＨＤＤａ１の活栓抜去を検出する信号ｓ１を監視し（１０１）、ＨＤＤａ１が、抜去されたか否かをチェックする（１０２）。
【００１７】
ＨＤＤａ１が抜去されたことを検出すると、ＬＥＤ制御信号ｋ１によりＬＥＤ１を橙色に点灯切替えする（１０３）。さらに制御マイコン２０２はＨＤＤａ１のシリンダが停止するのに要する時間ｔが経過するまで待機する（１０４）。時間ｔが経過すると橙色ＬＥＤを消灯し（１０５）、ＨＤＤａ１の抜去検出信号監視スラート（１０１）に戻る。ＨＤＤａ１は、通常レバーが取付けられたキャニスタ(図示せず)に搭載される。
【００１８】
前記一連のフローにより、作業者はＨＤＤａ１のキャニスタレバーをゆっくりと操作して、ｂ１−ｃ１間の接続が切断されるとＬＥＤ１が橙色に点灯されたことを確認して操作を停止し、ＬＥＤ１が橙色に点灯されている間、待機する。そして時間ｔが経過しＬＥＤ１橙色が消灯したことを確認した後、ＨＤＤａ１の撤去やキャニスタから取外しを実施する。この時点では、ＨＤＤａ１のシリンダは完全に停止している為、ＨＤＤを破損する可能性は抜本的に低下する。
【００１９】
以上は、ＨＤＤａ１の抜去の処理について説明したが、ＨＤＤａ２，ＨＤＤａｎについても、同様である為、それらの説明は省略する。また、前記実施例では時間ｔの間、橙色にＬＥＤ１を点灯させているが、色や点灯パターンは任意であり、特定するものではない。
【００２０】
上記の手段を備えた２．５インチ磁気ディスク装置および３．５インチ磁気ディスク装置についてｎ＝１２までの場合において、従来問題となっていた活栓抜去直後の交換作業時に発生するディスク装置の破損を防止出来ることを確認した。活栓抜去後の交換作業禁止期間は、対応するＨＤＤにより異なるが、入力設定手段により３０秒から６０秒の間に入力設定した。
【００２１】
また、交換作業停止指示を表示する手段は活栓抜去作業指示用表示手段とは別に設けることも出来る。さらに、交換作業停止指示は各ＨＤＤに対して設定されたシリンダ停止までの期間ｔとして表示し、この消灯をもって交換作業停止指示の解除とすることもできる。また、交換作業停止期間終了までの時間として表示しても良い。
【００２２】
【発明の効果】
以上説明したように、本発明ではＬＥＤの表示に従いＨＤＤのシリンダの回転が完全に停止するまで待ってから、ＨＤＤの活栓抜去作業を行うことが容易にしかも確実に実施することができ、ハードディスクドライブの衝撃による破損を防止する事ができる。
【図面の簡単な説明】
【図１】本発明の活栓抜去時のＬＥＤ表示制御フロー図である。
【図２】本発明の第一の実施例のハードウエア構成図である
【符号の説明】
１０１…ハードディスクドライブの抜去を検出する信号を監視、１０２…ハードディスクドライブの抜去信号を検出、１０３…ＬＥＤを橙色に点灯、１０４…ハードディスクドライブシリンダ停止に要する時間ｔを監視、１０５…ＬＥＤ橙色を消灯、２０１…プラッタ基板、２０２…制御マイコン、２０３…インタフェース信号、２０４…終端回路、２０５…外部インタフェースコネクタ、２０６…ＬＥＤパネル、２０７…ＳＣＳＩコネクタ、ａ１、ａ２、ａｎ…ハードディスクドライブ（１〜ｎ個  ｎは任意の自然数）、ｂ１、ｂ２。ｂｎ…ＨＤＤコネクタ（ハードディスクドライブ側）、ｃ１、ｃ２、ｃｎ…ＨＤＤコネクタ（プラッタ基板側）、ｄ１、ｄ２、ｄｎ・・ＬＥＤコネクタ、ｋ１、ｋ２、ｋｎ…ＬＥＤ制御信号、ｓ１、ｓ２、ｓｎ…ハードディスクドライブ抜去信号、ｃｂ１、ｃｂ２、ｃｂｎ…  ケーブル、ＬＥＤ１、ＬＥＤ２、ＬＥＤｎ…ＬＥＤ。
【図１】
2004206746.tif 000003
【図２】
2004206746.tif 000004